(57)【要約】【課題】世の中は、科学が進んでおり、原発エネルギーに依存するか、廃炉にすべきか、大きな問題になっている昨今、もし、原子力発電所をいたるところに設置した場合、万一地震事故、又は、戦争が発生した場合は標的にされ、自分自身が原爆を抱えているようなもので、放射線により地球に人間が住めない土地になってしまう恐れがあり、原発は全面廃止し、原発に依存しない世の中にすべきである。本案は、多少とも原発エネルギーに代わるエネルギーとして気圧エンジンによる装置を提供する。【解決手段】真空を断続的に発生させることが肝要で、液体を用いて真空を発生させ、真空を利用し、自然の大気圧のエネルギーを動力エネルギーに変換させることを特徴とする。【選択図】図４
2019167946.tif 000002
【特許請求の範囲】
【請求項１】
人体に支障のない、水より重い液体を用いて、１個の真空室に真空を発生させ、気圧が真空に作用するエネルギーを真空室の中で、半円球のピストン２個を合わせて、同時に稼動させ、球体の表面積のエネルギーを１００％活用し、持ち運びができ、移動ができる気圧エンジン装置。
【発明の詳細な説明】
【技術分野】
【０００１】真空に対し、大気圧のエネルギーでエンジンを回転させ、動力源とする発明であるが、真空を発生させる液体が、人体に害のない程度の密度の濃い液体を用い、低い場所で稼動させることのできるエンジンで、どこにでも移動でき、現存しない、初めての新しい気圧エンジンである。【０００２】先願との相違点
本願は先願（同人）の発電装置を改良に改良を重ねて、本願の出願となったものである。
第１点は、真空を利用し、気圧のエネルギーで動力を発生させる原理は、本願と特願は同じであるが、特願は、真空を発生させる液体を水に限定し、地上１０米位の高い所に真空を発生させるのに対し、本願は密度の濃い（重い）液体を用い、地上の低い所で真空を発生させるので、真空を発生させる液体と発生させる場所が根本的に相違する。
第２点は、特願は地上１０米位の高さにエンジンがあり、地面に固定し、移動できないので、限られた用途でしか、利用できないのに対し、本願は地上より数米位の低い位置にエンジンがあり、地上に固定しないで、どこにでも移動させることができ、例えば、自動車のエンジン、その他、動力として利用度は計り知れない。大きな相違がある。
第３点は、特願は１個の真空室の中で真空を発生させ、１個のピストンで１個の半円球のエネルギーを発生させているが、本案は同じ真空室の中に２個のピストンを取り付け、円球全体の表面積１００％の気圧のエネルギーを発生させ、特願の２倍のエネルギーを発生させることができ、構造上で、エネルギーの大きさに相違がある。
【背景技術】
【０００３】トリチエリの実験と、パスカルの実験により、何人も液体をもって、真空を作りだすことができるが、大気圧が真空に及ぼすエネルギーの利用開発がなされていない。例えば、僅か直径４０ｃｍの小さな円球の中を真空にした場合、円球には５トンもの大きな気圧のエネルギーがかかっており、このエネルギーを本案は利用し、実用化されれば社会に大きな貢献ができるものと思われる。【０００４】本案の特徴
最大の特徴は、真空を利用し、大自然の気圧エネルギーを動力エネルギーに変換することにあるが、そのエネルギーの発生工法と構造に特徴がある。
第１に、液体を用いて断続的に真空を発生させ、１個の真空に半円球の型状のピストン２個を合わせ、円球の全表面積に大気圧のエネルギーを発生させる。
第２に、真空（室）と気圧が押すピストンの間に一旦は遮断弁を設け、図５のように遮断弁を引き上げて、開放するような一般常識が定説であったが、その工法では余分なエネルギーは発生しない。
それは、ピストンを押すエネルギーより遮断弁を引き上げるエネルギーの方が必要以上に大きいので、余分なエネルギーは発生しない。
本案は、ピストンの働く方向に逆らわないよう、遮断弁の代りに止め金を用いて、１００％のエネルギーを活用する。
第３に、真空室内の液体の作用は、液体が上下に移動する２工程と、同じ真空室にピストンが左右に移動する３工程が一体となり、稼動するエンジンである。
図で示すと、下図
2019167946.tif 000003
第４に、真空を発生させるため、重い錘を持ち上げるエネルギーが必要であるが、シーソー遊具の原理を応用し、持ち上げるエネルギーを０にし、マイナスエネルギーを少なくするとともに、モーターの回転を軽くする。
第５に、重い液体を用いて、低い場所で真空を発生させ、エンジン等の重心を低くし、移動、持ち運びのできる装置とする。
【発明の開示】
【０００５】
【特許文献】特願２０１７−１６２８３１号
【発明が解決しようとする課題】
【０００６】今の世の中は地球温暖化が叫ばれ、その原因の一つは二酸化炭素で、脱化石燃料が世界的に問題視されており、ガソリン自動車から、今後は電気自動車に変わることになると思われるが、その後は燃料のいらない、充電が必要でない、自然エネルギーで稼動できる本案の気圧自動車になるものと思われる。
【課題を解決するための手段】
【０００７】自然エネルギーの利用方法には、立地条件、季節、設置の規模等に左右される場合があるが、本案は大気圧のエネルギーで、いずれにも左右されない。
燃料も不要で、一日２４時間稼動させることができる、又、陸地の何処にでも小さな土地で、少ない費用で設置することができる。
【発明の効果】
【０００８】原子力発電に頼らない、自然エネルギーが求められている現在、本案は、地上に大気圧という大きなエネルギーがあり、公害もなく、小さな資金で、設置することができ、又、気圧エネルギーは、風力発電や水力発電に比べて、はるかに大きなエネルギーがあり、資源の少ない我が国では社会経済に及ぼす影響は大きい。
【発明を実施するための最良の形態】
【０００９】本案は、自然の大気圧のエネルギーを動力エネルギーに変換するものであるが、何人も、どんな液体でも真空を発生させることができるが、真空を発生させただけでは、気圧のエネルギーは発生しない。気圧のエネルギーを活用するには、真空を断続的に発生させて初めて、気圧のエネルギーを活用できる。
図に基づいて、本案の実施形態を説明する。【００１０】図１は、トリチエリの実験による真空の発生を応用し、断続的に真空を発生させる装置図であり、錘を吊るし、水銀液に沈めると、液体が上昇し、真空の領域はなくなり、錘を引き上げると、水管の上部に真空が発生し、繰り返すことにより、真空を断続的に発生させることができる。【００１１】図２は、本案の断続的に真空を発生させる装置図初めに水槽に液体を入れ、続いて、番号３のバッテリーで番号４のモーターを回転させ、モーターの両腕に同じ長さの腕と、同じ重さの錘を吊り下げ、交互に錘を引き上げたり、沈めたりし、番号１０の水管の上部に真空を発生させたり、真空をなくしたりし、断続的に真空を発生させる。【００１２】水槽に錘を吊るす必要性
重い物体を持ち上げるには、エネルギーが必要で、本案のように両腕に同じ重さの物体を吊るすことにより、持ち上げるエネルギーは必要がない。
したがって、エンジンに負担のかからないよう、マイナスのエネルギーを少しでも少なくするため。【００１３】真空が発生する基準点
肝要１、気圧は常に変動し、真空となる高さが一定していないので、真空が発生する基準点を定める必要がある。
したがって、番号１１の基準点を設け、真空が発生する位置を定める。
尚、高さは、使用する液体の通常の真空を発生する高さとする。【００１４】常時変動している気圧を一定に保つためには、番号１のセンサーによって、高さを感知し、番号２のコンプレッサーに伝導し、エアーパイプを通して、番号８の伸び縮みする腕によって、錘を深く沈めたり、浅く沈めることによって、真空の発生を調整し、基準点を確保する。【００１５】肝要２、水槽の液面と錘との関係
錘を沈めることにより、真空室が液体で満たされることになるが、同じ錘で水槽の表面積が、広さによって液面の上昇が異なる。
面積が狭ければ狭いほど高さは上昇し、広ければ広いほど液面の上昇は小さいので留意する必要がある。【００１６】肝要３、錘の型状と液面との関係
錘の型を多少細長くし、錘を液面より沈めないこと。又、錘を引き上げた場合、錘は液面より引き上げないこと。その理由は、錘を液面より持ち上げたり、錘全体を沈めると、錘が上下に動くごとに水面に波と沫きがたち、液面が荒れ、水平で穏やかでなくなり、真空室に悪影響を及ぼす恐れがある。【００１７】図３は真空室とピストンの位置関係
（１）図−錘が下り矢印の方向に液体が真空室に入って、真空室は液体で充満になった図
（２）図−錘が上り、真空室内の液体が下がり、真空室内は真空になった状態図
（３）図−真空状態となった真空室に、止め金が外れ、ピストンが挿入した図
肝要４、番号１４のピストンの位置は、番号１２の真空室と並べ番号１３の止め金で止め、ピストンの低部の位置は番号１１の基準点より多少高い所に設置する。
その理由は、真空室内の液面がピストンの低部より高い場合は、ピストンが途中で動かなくなり、エンジンが回転できない状態となることを、未然に防ぐものである。【００１８】図４は本案の全体図
錘が引き下げられて、水管の上部に真空が発生した図
【止め金装置の最良の効果】
【００１９】本案の最大の課題は、如何にして大気圧のエネルギーを発生させ、動力エネルギーに変換することができるかである。
まず、初めに大気圧のエネルギーを発生させるためには、真空室を作り、真空室と大気圧とは分離し、図５のように真空室の一部を切り取り、切り取ったところにピストンを取り付け、真空室とピストンの間を遮断弁で仕切り、開閉することになるが、ここで大問題である。
【００２０】遮断弁を持ち上げて開くエネルギーと、遮断弁を押しているピストンのエネルギーとでは、遮断弁を開くエネルギーの方が大きなエネルギーが必要で、ピストンからのエネルギーは余分のエネルギーは発生しない。
したがって、原理が余分のエネルギーが発生しないと解れば、それ以上追求することがないのが現状で、開発が遅れているものと思料します。
【００２１】しかし、本案は遮断弁を止め金の型状に代え、大気圧の押す方向に逆らわず、止め金で一旦ピストンを止め、止め金を外して、ピストンのエネルギーを１００％活用することができる装置とする。
【産業上の利用可能性】
【００２２】本案のエネルギーは、大自然のエネルギーであって、地球を取り巻く気圧で、エネルギーが絶えることはない。又、当気圧エンジンは自動車のエンジンに限らず、船舶等、多種多様のエンジンに利用され、公害もなく、燃料も不要で、永久に日夜を問わず、１日２４時間稼動させることができ、産業上利用は大きいものと思料致します。
【図面の簡単な説明】
【００２３】
【図１】トリチエリの実験を応用し、断続的に真空を発生する装置の側面図  錘を吊し、水銀液に沈めたり引き上げたりすることにより、液体面が上昇し、真空領域がなくなり、引き上げると、真空が発生し、繰り返すことにより断続的に真空を発生させる。
【図２】本案の真空を断続的に発生させる装置の側面図  モーターにより錘（Ａ）（Ｂ）を交互に下げたり、上げたりして、真空を断続的に発生させる。
【図３】エンジンのピストンと、真空室との位置関係の側面図  ピストンの位置は、真空が発生する番号１１の基準点よりピストンの低辺が多少上部にすること、その理由は万が一、真空が発生する基準点が、ピストンの低部より上部になったとき、左右に動かなくなるため、エンジンは回転しなくなるのを防ぐため。
【図４】本案の総体側面図  水槽の錘（Ｂ）を引き上げると、番号１０の水管の液体は下がり、番号１２の真空（室）が発生した図。
【図５】大気圧のエネルギーを発生させる一般的図  大気圧のエネルギーを発生させるには、真空室を作り、一旦は、真空室とピストンを遮断し、遮断弁を引き上げ気圧エネルギーを発生させることになる。
【符号の説明】
【００２４】  １、センサー室
２、コンプレッサー室
３、バッテリー
４、モーター
５、錘（Ａ）
錘（Ｂ）
６、水槽枠
７、液面
８、伸び縮みする腕
９、エアーパイプ
１０、水管
１１、基準点
１２、真空室
１３、ピストン止め金
１４、ピストン（Ａ）
ピストン（Ｂ）
１５、エンジン
【図１】
2019167946.tif 000004
【図２】
2019167946.tif 000005
【図３】
2019167946.tif 000006
【図４】
2019167946.tif 000007
【図５】
2019167946.tif 000008